(57)【特許請求の範囲】
【請求項１】
デジタルカメラ機能を備えた通信装置において、
デジタルカメラモードと通信モードとに前記通信装置の機能を切り換える機能切換手段と、
前記通信装置への着信を検出する着信検出手段と、
前記デジタルカメラモードにて撮影対象を表示する表示デバイスとを有し、
前記表示デバイスは前記通信機器本体に対して開閉可能であって、前記通信装置が前記デジタルカメラモードで機能しているときに前記着信検出手段によって着信を検出した場合に、前記表示デバイスが開状態から閉状態に操作されたことに応じて、前記機能切換手段は前記通信装置の機能をデジタルカメラモードから通信モードに切り換えることを特徴とする通信装置。
【請求項２】
デジタルカメラ機能を備えた通信装置において、
デジタルカメラモード、通話モード、テレビ電話モードに前記通信装置の機能を切り換える機能切換手段と、
前記通信装置への着信を検出する着信検出手段と、
前記デジタルカメラモードにて撮影対象を表示する表示デバイスとを有し、
前記表示デバイスは前記通信機器本体に対して開閉可能であるとともに、開状態で表示デバイスの向きを変更可能であって、前記通信装置が前記デジタルカメラモードで機能しているときに前記着信検出手段によって着信を検出した場合に、前記表示デバイスが開いた状態でかつ前記撮影対象側を向くように操作されたことに応じて、前記機能切換手段はテレビ電話モードでの通信を開始することを特徴とする通信装置。
【発明の詳細な説明】
【０００１】
【発明の属する技術分野】
本発明は少なくとも２つ以上の機能が複合された携帯型の通信装置に関する。
【０００２】
【発明が解決しようとする課題】
従来より、携帯型の移動体通信装置においては、着信時における通信開始や通信終了は、通話ボタンや切ボタンを操作して行われている。さらに、この種の移動体通信装置の中には、装置本体に付設されたテンキー等を含む各種ボタンのうちのいずれのボタンを操作しても通信開始が可能となるものや、キーの誤操作を防止するフリッパ（キーカバー）の開閉動作により通信開始や通信終了がなされるもの、或いは非通信時には装置本体を充電台の所定位置に載置しておき、該装置本体を充電台から持ち上げることにより通話可能状態となるものもある。
【０００３】
一方、デジタルカメラ等の撮像装置は、携帯するという点では移動体通信装置と共通するが、従来より、機能的には通信装置とは別個独立のものとして発展してきている。
【０００４】
ところが、近年の携帯機器技術の発展に伴い、撮像機能と通信機能とを機能的に複合化させることも試みられており、これら撮像機能と通信機能とを同一筐体に収容しなくともケーブルや赤外線により通信機能を確保等することにより、両機能を機能的に融合させることも既に行なわれている。
【０００５】
そして、このような状況下において、デジタルカメラ等の撮像機能を有する撮像部と通信機能を有する通信部とを同一筐体に収容した多機能付き通信装置の開発が要請されてきている。
【０００６】
ところで、このような多機能付き通信装置を制御する場合、最も単純な制御方法としては、例えば、撮像部による被写体の撮像中に不意に通信着信があったときは、撮影動作を中止し、その後通信の開始を別途行うという方法が考えられる。
【０００７】
しかしながら、このような制御方法を採用した場合は、撮影中に不意に通信着信があったときには、例えば、装置本体に付設された撮像用オン／オフスイッチをオフに設定した後、通信開始を指示する通話ボタンを操作しなければならず、操作が煩雑な上、通信相手を待たせることとなる。
【０００８】
また、その他の制御方法としては、撮影動作を継続したまま通信を開始する方式も考えられる。
【０００９】
しかしながら、デジタルカメラ機能を実現するために電子ビューファインダとしてカラー液晶画面を有するものが多い一方で、音声通話を介して相手端末と通信する場合は装置本体を耳に当てるため、ユーザの指や顔の一部が前記カラー液晶画面の表示部分に接触して前記カラー液晶表示画面が汚れる虞がある。そして、斯かる汚れの発生は、撮影時や撮影後の撮影内容の確認の際における表示画像の品位に悪影響を及ぼすという課題が生じる。
【００１０】
したがって、このように撮像部と通信部とを同一筐体に収容した多機能付き通信装置では、被写体の撮像中に不意に通信着信があった場合に迅速な対応を行うべく撮像モードと通信モードの切換を１つの動作で行うことが要請される。
【００１１】
本発明はこのような事情に鑑みなされたものであって、撮影中に通信着信があった場合であっても撮影モードと通信モードとの切換を迅速に行なうことができる通信装置を提供することを目的とする。
【００１２】
【課題を解決するための手段】
上記目的を達成するために本発明の通信装置は、デジタルカメラ機能を備えた通信装置において、デジタルカメラモードと通信モードとに前記通信装置の機能を切り換える機能切換手段と、前記通信装置への着信を検出する着信検出手段と、前記デジタルカメラモードにて撮影対象を表示する表示デバイスとを有し、前記表示デバイスは前記通信機器本体に対して開閉可能であって、前記通信装置が前記デジタルカメラモードで機能しているときに前記着信検出手段によって着信を検出した場合に、前記表示デバイスが開状態から閉状態に操作されたことに応じて、前記機能切換手段は前記通信装置の機能をデジタルカメラモードから通信モードに切り換えることを特徴としている。
さらに、本発明の通信装置は、デジタルカメラ機能を備えた通信装置において、デジタルカメラモード、通話モード、テレビ電話モードに前記通信装置の機能を切り換える機能切換手段と、前記通信装置への着信を検出する着信検出手段と、前記デジタルカメラモードにて撮影対象を表示する表示デバイスとを有し、前記表示デバイスは前記通信機器本体に対して開閉可能であるとともに、開状態で表示デバイスの向きを変更可能であって、前記通信装置が前記デジタルカメラモードで機能しているときに前記着信検出手段によって着信を検出した場合に、前記表示デバイスが開いた状態でかつ前記撮影対象側を向くように操作されたことに応じて、テレビ電話モードでの通信を開始することを特徴としている。
【００１７】
【発明の実施の形態】
以下、本発明の実施の形態を図面に基づき詳説する。
【００１８】
図１は本発明に係る多機能付き通信装置としての移動体通信装置の一実施の形態を示す斜視図であり、図２は図１のＡ矢視図である。
【００１９】
すなわち、図１及び図２において、１は本発明に係る多機能付き通信装置の一実施の形態としての移動体通信装置であって、該移動体通信装置１は装置本体２に撮像機能と通信機能とが内蔵されている。
【００２０】
そして、装置本体２の一方の側面３には被写体を撮影するレンズ４と、被写体撮影時に押下されるシャッターボタン５と、照度不足のときに補助光としてシャッターボタン５の操作と連動して発光するストロボ６が設けられている。すなわち、移動体通信装置１は、デジタルカメラ機能を有し、デジタル画像撮影時にシャッターボタン５を押下すると必要に応じてストロボ６が発光し、被写体からの撮影光がレンズ４を介して不図示のＣＣＤに結像する。そして、ＣＣＤに結像された撮影光は電気信号に変換され、所定の画像処理が施されて画像データが内蔵メモリに保存され、或いはテレビ電話用画像通信の画像データとして使用される。
【００２１】
また、装置本体２の上面７には無線アンテナ８が設けられ、交信先となる端末装置との間で無線による電波の送受信を行う。
【００２２】
装置本体２の正面９の上方には、ヒンジ１０を介して装置本体２に開閉自在に取り付けられた表示部１１が設けられ、該表示部１１の下方には操作部１２が設けられている。
【００２３】
操作部１２には、交信先端末装置との間で通話を開始するときに押下する通話ボタン１３と、通話終了時に押下する切ボタン１４と、所望の回線番号等を入力するときに使用するテンキー１５と、内蔵マイクに音声信号を入力する送話口１６と、各種テンキー１５の入力内容や電界強度、バッテリー残量、現在日時等の装置本体２の状態を表示する矩形形状のモノクロ液晶表示パネル１７が設けられている。
【００２４】
また、表示部１１は、略正方形形状のカラー液晶表示パネル１８が閉蓋時に装置本体２と対向するように設けられ（図２参照）、さらに該カラー液晶表示パネル１８の背面側（すなわち、表示部１１を閉蓋したときの正面９側）には外部通信装置からの電波を受信する内蔵レシーバを介して音声出力する受話口１９が設けられている。
【００２５】
また、図２に示すように、表示部１１のカラー液晶表示パネル１８側の図中左上隅部には検出穴２０が設けられており、また、該検出穴２０に対応する装置本体２側には爪部２１が伸縮可能に突設されている。そして、表示部１１の閉蓋時に表示部１１が不意に開蓋しないように爪部２１が検出穴２０に軽押圧されて係止され、また前記検出穴２０は前記爪部２１の軽押圧を検知して表示部１１の閉状態が検出できるように構成されている。これにより、通話時には受話口１９を正面にし、カラー液晶表示パネル１８が外部から接触できないように閉じられている状態で交信先端末装置との間で会話を行うことができる。
【００２６】
さらに、表示部１１は、ホール素子等の磁気センサ２２が内有されると共に、不図示の回転軸を介してヒンジ１０に枢着されており、該表示部１１は前記回転軸を支軸として矢印Ｂ方向に回動可能とされている。そして、ヒンジ１１は、永久磁石２４が内有されており、前記磁気センサ２２と前記永久磁石２４とが対向状となることにより、表示部１１が図２の状態から矢印Ｂ方向に１８０°回動していることを非接触でもって検出することができる。そして、該移動体通信装置１は、レンズ４でユーザ自身を撮影して該撮影された画像データを外部通信装置を介して交信先端末装置に送信する一方、該交信先端末装置から画像データが送信されてきたときは該画像データをカラー液晶表示パネル１８に表示し、これによりテレビ電話通信が可能とされている。尚、前記永久磁石２４はヒンジ１０の動作に連動して動作し、該永久磁石２４の磁束は常に表示部１１の端面に向かうように構成されている。
【００２７】
図３は本発明に係る通信装置の制御方法の第１の実施の形態の制御手順を示すフローチャートである。
【００２８】
ステップＳ１では、図２のように表示部１１を開いてモードをデジタルカメラモードに設定する。尚、デジタルカメラモードは、爪部２１の検出穴２０への軽押圧が検出されなくなったことにより設定される。次いで、ステップＳ２に進み、ユーザは表示部１１のカラー液晶表示パネル１８に被写体を映し出して画角を決めた後、シャッターボタン５を押下して被写体を撮影する。ステップＳ３では、斯かる撮影中に着信があったか否かを判断する。撮影中着信がない場合はステップＳ２に戻って撮影を継続する一方、撮影中着信があった場合はステップＳ４に進み、着信をユーザに通知する。ここで、着信の通知方法としては、ブザー音による通知や振動、カラー液晶表示パネル１８への表示等の方法が知られているが、本実施の形態では撮影中であることを考慮し、振動による通知を回避してブザー音又はカラー液晶表示パネル１８への表示により着信通知を行っている。
【００２９】
続くステップＳ５では表示部１１が閉じられたか否かを爪部２１が検出穴２０に軽押圧されているか否かにより検知する。表示部１１が閉じられていないと判断されたときはステップＳ４に戻りユーザは撮影を継続する一方で該ユーザに着信通知を行う。そして、爪部２１が検出穴２０に軽押圧して表示部１１が閉じられたことを検知すると、ステップＳ６に進み、デジタルカメラモードを解除して通信モードに機能を切り換え、ステップＳ７に進む。そして、ステップＳ７ではユーザは受話口１９と送話口１６を使用した通信を交信先端末装置との間で開始する。
【００３０】
尚、前記表示部１１の閉状態においてはカラー液晶表示パネル１８は非表示状態とされ、またバックライトが消灯されて節電される。そして、ステップＳ８では通信が終了したか否かを判断し、通信が終了するとユーザは切ボタン１４を押下して処理を終了する。
【００３１】
このように本第１の実施の形態では、表示部１１を閉じることにより設定モードが自動的にデジタルカメラモード（撮影モード）から通信モードに切り換わるので、ユーザは通話ボタン１３を操作することもなく交信先との間で通話を行うことができる。すなわち、本第１の実施の形態では、表示部１１を閉じるのみで設定モードが撮影モードから通信モードに自動的に切り換わるので、撮影中着信があった場合においても通話ボタン１３を押下してモード切換を行う等煩雑な操作を省くことができ、撮影中着信時での迅速な対応が可能となる。また、通信モードのときは表示部１１が閉じているので、通信中に指や顔の一部がカラー液晶表示パネル１８に接触することもなく、したがって指紋や皮脂、化粧品等がカラー液晶表示パネル１８に付着して撮影時や撮影後の撮影内容を確認する際における表示画像の品位低下を防止することができる。
【００３２】
図４は本発明に係る通信装置の制御方法の第２の実施の形態の制御手順を示すフローチャートである。
【００３３】
ステップＳ１１〜ステップＳ１４では、ステップＳ１〜ステップＳ４と同様の処理を実行し、撮影中着信があった場合にステップＳ１５で表示部１１が閉じられたか否かを判断する。そして、表示部１１が閉じられたと判断した場合は第１の実施の形態のステップＳ６〜ステップＳ８と同様、デジタルカメラモードを解除して通信モードに切換えて交信先端末装置との間で通信を行い、切ボタン１４の押下で通信を終了する（ステップＳ１６→ステップＳ１７→ステップＳ１８）。
【００３４】
一方、ステップＳ１５で表示部１１が閉じられていない場合、すなわち、表示部１１が開状態を維持していると判断された場合は、ステップＳ１９に進み、表示部１１が矢印Ｂ方向に１８０°回動したか否かを磁気センサ２２により判断する。そして，その答が否定（Ｎｏ）のときはステップＳ１４に戻ってユーザは撮影を継続する一方で該ユーザに着信通知を行う。
【００３５】
また、ステップＳ１９の答が肯定（Ｙｅｓ）のときはレンズ４とカラー液晶表示パネル１８とが同一平面上に位置することとなり、ステップＳ２０に進んで、ユーザはレンズ４で自己の顔を撮影しながらカラー液晶表示パネル１８に通話相手の画像を表示し、通話相手を確認しながら通信を行う。すなわち、ユーザは自己の顔を画像通信データとして交信先端末装置に送信する一方、該交信先端末装置から送られてくる交信相手の顔を画像通信データとして受信し、該画像通信データをカラー液晶表示パネル１８に表示する。そして、ステップＳ２１ではテレビ電話が終了したか否かを判断し、終了するとユーザは切ボタン１４を押下して処理を終了する。これによりデジタルカメラ機能を活かしたテレビ電話を開始することができる。
【００３６】
このように本第２の実施の形態では、デジタルカメラとしての機能を活かすことによりカラー液晶表示部パネル１８に通話相手の顔を映し出すことも可能であり、テレビ電話モードに選択的に移行することができる。すなわち、レンズ４とカラー液晶表示パネル１８を同一平面上に向けることによりテレビ電話としての通信が可能となる。
【００３７】
【発明の効果】
以上詳述したように本発明に係る通信装置によれば、デジタルカメラ機能を備えた通信装置であっても状況に応じて機能を適切かつ迅速に切り換えることが可能になる。その結果として、使用者にとって使いやすい通信装置を提供することができる。
【図面の簡単な説明】
【図１】本発明に係る多機能付き通信装置の一実施の形態としての移動体通信装置の斜視図である。
【図２】図１のＡ矢視図である。
【図３】本発明に係る通信装置の制御方法の一実施の形態を示すフローチャートである。
【図４】本発明に係る通信装置の制御方法の他の実施の形態を示すフローチャートである。
【符号の説明】
２    装置本体
１１  表示部
２０  検出穴（開閉状態検知手段）
２２  磁気センサ
【図１】
0003897463.tif 000002
【図２】
0003897463.tif 000003
【図３】
0003897463.tif 000004
【図４】
0003897463.tif 000005